(57)【要約】      （修正有）【課題】熱がこもらず、かつ適度の遮光性を有し、しかもデザイン性にも優れた日傘を提供する。【解決手段】中棒２の下端に手元３が取り付けられ、中棒２の上端寄り部分に形成された骨組み４に日除け部５が縫着された日傘１において、前記日除け部５に組み糸で編成された生地が用いられており、また日除け部５にはＵＶカット加工や香料付着加工が施され、更に、必要に応じて日除け部５の内側には、綿繊維または麻繊維からなる生地や前記組み糸からなる生地の内張りが縫着されている。【選択図】図１
0003112230.tif 000002
【実用新案登録請求の範囲】
【請求項１】
日除け部が組み糸で構成された生地からなる日傘。
【請求項２】
手元部が組み糸で構成された生地で被覆されていることを特徴とする、請求項１記載の日傘。
【請求項３】
日除け部にＵＶカット加工が施されていることを特徴とする、請求項１または請求項２記載の日傘。
【請求項４】
日除け部および／または手元部における組み糸で構成された生地に香料付着加工が施されていることを特徴とする、請求項１〜請求項３のうちのいずれか一項記載の日傘。
【請求項５】
日除け部が黒色または複数色の混成であることを特徴とする、請求項１〜請求項４のうちのいずれか一項記載の日傘。
【請求項６】
日除け部に内張りが施されていることを特徴とする、請求項１〜請求項５のうちのいずれか一項記載の日傘。
【考案の詳細な説明】
【技術分野】
【０００１】
本考案は、日除け部分に組み糸で構成された生地を用いた日傘に関する。
【背景技術】
【０００２】
従来、日傘は主として年配の女性が愛用するものであったが、近年、オゾンホールの拡大に伴う有害紫外線（ＵＶ）の増加が社会問題となり、また若い女性の間では、従来の小麦色の肌による健康美よりも美白志向が強くなっている。そのため、若い女性の間でも季節を問わず、日傘を愛用する人が増えている。
【０００３】
一般に、日傘の日除け部分には、綿生地や、ポリエステル等の合成繊維からなる生地が用いられていた。
【考案の開示】
【考案が解決しようとする課題】
【０００４】
日傘の日除け部分は、太陽光線によって熱くならず、かつ熱気がこもらず、しかも紫外線を有効に遮断するものが最適である。
【０００５】
前述した合成繊維による生地の場合、紫外線の吸収率が高いものの、繊維自体が熱を帯び、その輻射熱で使用者の頭上が熱くなり易いという欠点がある。一方、天然繊維を用いたレース地等の場合、通気性が良く、熱がこもり難いものの、遮光性が劣るという欠点がある。
【０００６】
また、前述したように、近年、若い女性の間でも日傘の需要が多いことから、よりデザイン性に優れた日傘が求められているが、前記合成繊維からなる生地を用いた日傘の場合、柄的には種々のものが製造できるが、風合いに乏しく、質感が出難い。一方、レース地からなる生地の場合、合成繊維に比べて風合いが出るものの、種々の柄や色合いを出すのが難しく、これを実現しようとすれば、より大がかりな編機設備が必要となる。
【０００７】
本考案の目的は、熱がこもらず、かつ適度の遮光性を有し、しかもデザイン性にも優れた日傘を提供することにある。
【課題を解決するための手段】
【０００８】
請求項１記載の日傘は、日除け部が組み糸で構成された生地からなるものである。
【０００９】
請求項２記載の本考案は、前記請求項１記載の日傘について、手元部が組み糸で構成された生地で被覆されていることを特徴とするものである。
【００１０】
請求項３記載の本考案は、前記請求項１または請求項２記載の日傘について、日除け部にＵＶカット加工が施されていることを特徴とするものである。
【００１１】
請求項４記載の本考案は、前記請求項１〜請求項３のうちのいずれか一項記載の日傘について、日除け部および／または手元部における組み糸で構成された生地に香料付着加工が施されていることを特徴とするものである。
【００１２】
請求項５記載の本考案は、前記請求項１〜請求項４のうちのいずれか一項記載の日傘について、日除け部が黒色または複数色の混成であることを特徴とするものである。
【００１３】
請求項６記載の本考案は、前記請求項１〜請求項５のうちのいずれか一項記載の日傘について、日除け部に内張りが施されていることを特徴とするものである。
【考案の効果】
【００１４】
請求項１記載の日傘は、日除け部が組み糸で構成された生地からなるものであるため、組み糸の特徴である艶のある種々の色合いの外観をもったデザイン性の高い日除け部を備えたものすることができる。また日除け部を構成する組み糸の編成密度を調整することにより、熱がこもらず、適度の通気性を有し、しかも太陽光を遮断することが可能となる。
【００１５】
請求項２記載の日傘は、手元部が組み糸で構成された生地で被覆されていることから、手元部についても前述した組み糸独自のデザイン性が得られる。
【００１６】
請求項３記載の日傘は、日除け部にＵＶカット加工が施されているため、前記日除け部を構成する組み糸の編成密度調整と相俟って、紫外線の遮断効果が更に高められる。
【００１７】
請求項４記載の日傘は、日除け部および／または手元部における組み糸で構成された生地に香料付着加工が施されているため、使用時によい香りが漂うため、使用者や周囲の人に清涼感を与え得る。
【００１８】
請求項５記載の日傘は、日除け部が黒色または複数色の混成であるため、通常、淡い色とされる日除け部に比べて斬新性がある。
【００１９】
請求項６記載の日傘は、日除け部に内張りが施されているため、遮光性を更に向上させることができる。
【考案を実施するための最良の形態】
【００２０】
次に、本考案の実施形態を図面にしたがって説明するが、本考案はかかる実施形態に限定されるものではなく、その要旨の範囲内で種々の変形実施が可能である。
【００２１】
図１および図２に示すように、日傘１の基本的構造は、通常の日傘と同様である。本実施形態に係る日傘１は、木製の中棒２と、中棒２の下端部に取り付けられた竹製の手元３と、中棒２の上端寄り部分に形成された骨組み４と、骨組み４に縫着された日除け部５と、中棒２の先端に設けられた石突７と、骨組み４における各骨の先端に取り付けられたツユサキ８とを備えている。
【００２２】
そして、前記日除け部５は組み糸を編成してなる生地から構成されている。生地の柄や色合いは組み糸の特長である艶のある種々の色合いとなされ、また編成密度は遮光性、通気性等との関係で種々変更される。本実施形態では、日除け部５は、図３に示すように、
黒色の組み糸を編成してなる生地で構成されている。また、前記手元３は、その表面が組み糸を編成してなる生地で被覆される場合もある。
【００２３】
この他、前記日除け部５には、ＵＶカット加工が施されていると共に、香料付着加工も施されている。香料付着加工としては、日除け部５を構成する組み糸自体が香料成分を含有している場合の他、日除け部５を構成する組み糸からなる生地に香料溶液を含浸させる場合もある。
【００２４】
また、本実施形態では、日傘１の内側において、骨組み４におけるダボ（図示せず）から中棒２に至る部分に日除け部５と同様に、組み糸からなる生地で構成された内張り６が縫着されている。該内張り６は、日傘１をさした状態で、使用者の髪や髪飾り等が骨組み４に引っ掛かるのを防止するものである。
【００２５】
図４に示す日傘２１は、前記日傘１において、その日除け部５の内側にそのほぼ全面にわたって別途、綿繊維または麻繊維からなる生地１１を縫着した二重張り構造となされているものである。
【００２６】
本実施形態の日傘２１の場合、日除け部５の外側は組み糸による生地の外観となり、日除け部５の内側は綿繊維または麻繊維からなる生地１１の外観となる。そして、この日傘２１によれば、日除け部５の外側と内側とで二つのデザイン性が得られる。
【産業上の利用可能性】
【００２７】
本考案に係る日傘は、その日除け部が従来にない組み糸による生地で構成されているため、種々の色合いや風合いが得られるため、デザイン性のある日傘としての用途が期待される。
【図面の簡単な説明】
【００２８】
【図１】実施形態に係る日傘の斜視図である。
【図２】同実施形態に係る日傘の内面図である。
【図３】日除け部の拡大図である。
【図４】他の実施形態を示す日傘の内面図である。
【符号の説明】
【００２９】
１  日傘
２  中棒
３  手元
４  骨組み
５  日除け部
６  内張り
【図１】
0003112230.tif 000003
【図２】
0003112230.tif 000004
【図３】
0003112230.tif 000005
【図４】
0003112230.tif 000006